(57)【要約】      （修正有）【課題】専用のグラインダを用いないで、人手作業による切刃の目立てを行っても切刃の刃先の角度にばらつきが生じないようにすることができるチェーンソーの目立て用補助具を提供する。【解決手段】チェーンソーのチェーン案内板７に対して着脱自在に取り付ける取り付け部３と、前記チェーン案内板に掛けたチェーンの切刃の目立て方向を指示する目立て指示部２とを備えることを特徴とするチェーンソーの目立て用補助具。【選択図】図１
2005186172.tif 000002
【特許請求の範囲】
【請求項１】
チェーンソーのチェーン案内板に対して着脱自在に取り付ける取り付け部と、
前記チェーン案内板に掛けたチェーンの切刃の目立て方向を指示する目立て指示部とを備える、ことを特徴とするチェーンソーの目立て用補助具。
【請求項２】
請求項１に記載のチェーンソーの目立て用補助具において、
前記取り付け部は、前記チェーン案内板に互いに突き合わせて密接させる板面部と、当該板面部を前記チェーン案内板に磁気作用により吸着させる永久磁石とを備える、ことを特徴とするチェーンソーの目立て用補助具。
【請求項３】
請求項１または２に記載のチェーンソーの目立て用補助具において、
前記目立て指示部は、前記チェーン案内板の板面に対してほぼ直交しかつチェーンの移動方向に沿わせることのできる水平面部を備え、前記切刃の刃先に対する目立て角度に沿った指標線を前記水平面部に表示していることを特徴とするチェーンソーの目立て用補助具。
【請求項４】
請求項１ないし３のいずれかに記載のチェーンソーの目立て用補助具において、
前記目立て指示部は、前記切刃の刃先に対する目立て角度に沿った方向で研磨具を案内する案内部を備えていることを特徴とするチェーンソーの目立て用補助具。
【請求項５】
請求項４に記載のチェーンソーの目立て用補助具において、
前記案内部は、前記切刃の刃先の高低方向に対する目立て角度に沿った方向の指標線を表示していることを特徴とするチェーンソーの目立て用補助具。
【請求項６】
請求項３に記載のチェーンソーの目立て用補助具において、
前記取り付け部と、前記目立て指示部とは、板金材により一体に形成していることを特徴とするチェーンソーの目立て用補助具。
【発明の詳細な説明】
【技術分野】
【０００１】
本発明は、チェーンソーの切刃を研いで目立てをするときに用いることのできるチェーンソーの目立て用補助具に関する。
【背景技術】
【０００２】
一般的に、チェーンソーの切刃の目立ては、丸ヤスリや電動丸砥石などを用いて行われている。切刃の目立ては、熟練者でなければ切刃の刃先の角度がばらつき易い。
【０００３】
なお、チェーンソーのチェーン案内板（ガイドバー）に着脱自在に取り付けた状態で切刃の刃先を一定角度に研磨するグラインダが提案されている（例えば特許文献１参照）。
【特許文献１】特開平９−１４２３号公報
【発明の開示】
【発明が解決しようとする課題】
【０００４】
本発明は、熟練者でなくても、切刃の刃先の角度にばらつきが生じることなく、切刃の目立てを簡易かつ迅速にしかも正確に行うことを補助できるチェーンソーの目立て用補助具を提供するものである。
【課題を解決するための手段】
【０００５】
本発明に係るチェーンソーの目立て用補助具は、チェーンソーのチェーン案内板に対して着脱自在に取り付ける取り付け部と、前記チェーン案内板に掛けたチェーンの切刃の目立て方向を指示する目立て指示部とを備えることを特徴とする。
【０００６】
ここで、目立て指示部は、やすりなどにより切刃の刃先を研磨するときの研磨方向を示す目安として指標線が表示されたものでも良いし、あるいは、やすりなどの研磨具での研磨時にその研磨具を目立て方向に案内できる部材でも良い。
【０００７】
本発明によれば、目立て用補助具の目立て指示部が、目立て作業者に対して目立て作業時の目立て方向、すなわち切刃の刃先を目立てする角度を指示することになる。これにより、目立て作業者は、本発明に係る目立て用補助具をチェーンソーのチェーン案内板に取り付け部を介して取り付けた状態で、目立て用補助具の目立て指示部の指示に従って研磨方向を一定にして、やすりなどによりチェーンの切刃の刃先研磨を行うことができるので、目立て作業に不慣れな作業者であっても、切刃の刃先の角度が一定に揃うものにできる。したがって、その研磨が行われたチェーンにおける切れ味は、良好な状態で長期にわたって維持され、木材などの切断作業も軽快に行い易い。
【０００８】
本発明の好ましい実施態様として、前記取り付け部は、前記チェーン案内板に互いに突き合わせて密接させる板面部と、当該板面部を前記チェーン案内板に磁気作用により吸着させる永久磁石とを備える。この場合、目立て用補助具をチェーン案内板の適宜な位置に簡易に取り付けたり、取り外したりでき、チェーン案内板に掛けれられたチェーンの切刃に対して目立てる。
【０００９】
本発明の好ましい実施態様として、前記目立て指示部は、前記チェーン案内板の板面に対してほぼ直交しかつチェーンの移動方向に沿った水平面部を備え、前記切刃の刃先に対する目立て角度に沿った指標線を前記水平面部に表示している。ここで、水平面部は、チェーン案内板の板面に対してほぼ直交しかつチェーンの移動方向に沿った面に設定できて、かつ切刃の刃先に対する目立て角度に沿った指標線を作業者に明示できるようにその表面上に表示しているものであって、便宜的に水平面部としているが、実際に水平方向に沿った面にして用いられたりするものに限定されない。この場合、目立て用補助具の指標線表示部の表面に表示された指標線に沿って、ヤスリ掛けなどの研磨作業を行うことになる。このように指標線に沿った研磨を行うことで、人手作業による切刃研磨においても切刃の刃先の角度が一定に揃うものとなる。したがって、その研磨が行われたチェーンにおける切れ味は、良好な状態で長期にわたって維持され、木材などの切断作業も軽快に行い易い。
【００１０】
本発明の好ましい実施態様として、前記目立て指示部は、前記切刃の刃先に対する目立て角度に沿った方向で研磨具を案内する案内部を備えている。この場合、やすりなどの研磨具をその案内部によって案内させて、切刃の刃先研磨を行うことで、人手作業による切刃研磨においても切刃の刃先の角度が一定に揃うものとなる。ここで、案内とは、やすりなどの研磨具を接触するようにしてその方向性を一定にするように規制することも含むが、やすりなどの長手方向が案内面に接触することなく近接させて作業者の目視によってその方向性を一定にする場合も含む。したがって、その研磨が行われたチェーンにおける切れ味は、良好な状態で長期にわたって維持され、木材などの切断作業も軽快に行い易い。
【００１１】
本発明の好ましい実施態様として、前記案内部は、前記切刃の刃先の高低方向に対する目立て角度に沿った方向の指標線を表示している。この場合、切刃の刃先が高低方向において所定角度を有するものであっても、目立て作業者は、その高低方向での所定角度に合わせた目立て角度に沿った方向の指標線に沿うように研磨具を操作することによって、切刃の刃先が高低方向での角度についてもばらつきが生じないように研磨することができる。
【００１２】
本発明の好ましい実施態様として、前記取り付け部と、前記目立て指示部とは、板金材により一体に形成している。この場合、目立て補助具が簡易で安価に構成できる。
【発明の効果】
【００１３】
本発明によれば、目立て作業者は、目立て用補助具をチェーンソーのチェーン案内板に取り付け部を介して取り付けた状態で、目立て用補助具の目立て指示部の指示に従って研磨方向を一定にして、丸やすりなどによりチェーンの切刃の刃先研磨を行うことができるので、目立て作業に不慣れな作業者であっても、切刃の刃先の角度が一定に揃うものにできる。したがって、その研磨が行われたチェーンにおける切れ味は、良好な状態で長期にわたって維持され、木材などの切断作業も軽快に行い易い。
【発明を実施するための最良の形態】
【００１４】
以下、本発明に係るチェーンソーの目立て用補助具の実施態様を、図１ないし図７を参照して詳細に説明する。図１は、目立て用補助具の斜視図であり、図２は、図１の目立て用補助具の平面図（ａ）、正面図（ｂ）、側面図（ｃ）であり、図３は、チェーンソーの一例を示す斜視図、図４は、図３のチェーンソーのチェーンの一例を示す斜視図、図５は、図４のチェーンの切刃を示す正面図（ａ）、平面図（ｂ）であり、図６は、図１の目立て用補助具を目立て作業するためにチェーンソーのチェーン案内板に取り付けた状態を示す斜視図、図７は、図４の切刃を電動丸砥石で研磨する様子を示す平面図であって、図７の（ａ），（ｂ）それぞれは、切刃の刃先角度が左右方向でそれぞれ異なるものに対する研磨の様子を示している。
【００１５】
図１および図２（ａ），（ｂ），（ｃ）に、本発明に係る目立て用補助具１の一例を示している。２は、目立て指示部、３は、取り付け部である。
【００１６】
本発明に係る目立て用補助具１は、矩形状の鉄板を側面視Ｌ字状に曲げ加工し、一方の曲げ片部分を目立て指示部２として構成される水平面部４とし、他方の曲げ片部分を取り付け部３として構成される取り付け用片部５としている。６は、水平面部４と取り付け用片部５との折り曲げがなされている折り曲げ線を示す。取り付け用片部５は、その一端側である折り曲げ線６個所近傍の板面５ａと、その他端側の縁部近傍の板面５ｂとが同一平面に沿った状態でそれら板面５ａ，５ｂの間が折り曲げ線６に沿った所定幅の凹部７となるようにプレス加工されている。この凹部７には、２個の矩形状の永久磁石８，８が前記折り曲げ線６に沿った方向での両端側にそれぞれ振り分けられて接着剤により固定設置されている。永久磁石８，８の厚みと、凹部７の深さとがほぼ同じに設定されており、このため、取り付け用片部５における凹部７両脇のそれぞれの板面５ａ，５ｂと、永久磁石８，８の凹部７から外方に臨む面とはほぼ面一となっている。ここで、取り付け用片部５および永久磁石８，８は、取り付け部３を構成している。
【００１７】
一方、水平面部４は、その表面に目立て用の角度に沿った直線状の指標線などが表示されたシール９を貼り付けている。図１，図２に例示のものの場合、目立て用の角度は３０度である。また、水平面部４の前記折り曲げ線６に沿う方向での幅の中央位置に、この水平面部４を横幅方向で横切る直線が基準指標線１０として表示されている。目立て角度を示す直線状の指標線１１は、基準指標線１０の折り曲げ線６個所側端部を起点として前後両側に基準指標線１０に対してそれぞれ３０度傾いた方向に沿った直線として表示されている。また、これら両指標線１１には、目立て角度が３０度であることを示す「３０°」の数字なども表示されている。さらに、これら指標線１１，１１と所定間隔離れて平行に補助指標線１２，１２が表示されている。ここで、水平面部４と、この水平面部４の表面に表示された指標線１１，１１などは目立て指示部２を構成している。
【００１８】
次に、上記目立て用補助具１を目立て方向の参照用治具として用いて研磨を行う、チェーンソー１３や、チェーン１５の切刃１８について説明する。
【００１９】
図３を参照して、１３はチェーンソーの一例である。チェーンソー１３は、把持部１４と、無端状のチェーン１５と、チェーン１５を回動させる原動機を備えた駆動部１６と、駆動部１６で回動駆動されるスプロケット（図示せず）に噛合されて取り付けられるチェーン１５が外周上に配設された、すなわち掛けられたチェーン案内板（ガイドバー）１７とを備えている。
【００２０】
図４および図５を参照して、チェーン１５では、所定間隔おきのリンクプレートが切刃１８のリンクプレート１９となっている。このリンクプレート１９には、他のリンクプレートとピン連結されるリンク本体部２０にピン連結部２１，２２が設けられているとともに、切刃１８の前方側には深さ制限部２３が設けられている。切刃１８は、リンク本体部２０のプレート面に対して所定高さで一横方に屈折したブレードに形成されている。そして、切刃１８のリンクプレートは、チェーン１５の移動方向において前後に隣合うものは、切刃１８の屈折する方向が交互に左右異なるように連結されている。切刃１８のブレード上面は前後方向に沿って平坦な面となっている。そのブレードの前縁の刃先２４は、平面視で所定角度傾斜して左右方向での先端側ほど刃先位置が後退するようになっている。この傾斜角度が切刃１８の目立て角度となる。また、切刃１８のリンク本体部２０から立ち上がりブレードに至る部分の前縁も側刃として切断機能を有する刃先２５になっている。この側刃の刃先２５とブレード前縁の刃先２４とは前尖りの鋭利なものになっている。
【００２１】
そして、各切刃１８の目立ては、丸ヤスリや電動丸砥石を切刃１８のブレードの前端縁の下面側と、側刃２４の前端とに目立て角度（この実施態様の場合、平面視でのリンクプレート面に対して３０°）にその丸ヤスリや電動丸砥石が沿うようにして刃先の研磨を行う。以下に、本発明の目立て用補助具１を利用してその目立て角度に各切刃１８が揃うように研磨する方法について、図６（ａ），（ｂ）を参照して説明する。なお、図６（ａ），（ｂ）では、電動丸砥石２６で研磨する様子を示している。
【００２２】
図６（ａ），（ｂ）を参照して、チェーンソー１３のチェーン案内板１７の上縁近くで、チェーン案内板１７の長手方向の適宜個所に、目立て用補助具１の水平面部４の板面がチェーン案内板１７の上縁に沿う状態で、永久磁石８，８による磁気吸着によって取り付け用片部５を固定する。チェーン案内板１７は鋼鉄板製であるので、永久磁石８，８による磁気吸着によって取り付け用片部５を着脱自在に取り付けることが可能となっている。この際、図６（ａ），（ｂ）に示すように、基準指標線１０の位置が平面視で切刃１８のブレードの前端縁近くとなるように、目立て用補助具１もしくはチェーン１５を位置調整する。
【００２３】
作業者は、基準指標線１０に対して所定角度（この場合３０°）傾いた指標線１１や、補助指標線１２と、電動丸砥石２６（切刃に対応した所定径の円柱棒状のダイヤモンド砥石）のその軸方向とが一致する状態を維持するように目視しながら、電動丸砥石２６の姿勢を調整して、切刃１８におけるブレードの刃先２４および側刃の刃先２５に対する研磨作業を行う。なお、チェーン１５に設けられる切刃１８の隣合うものの目立て角度は、基準指標線１０に対して前側に向かう角度と、後側に向かう角度とに交互に傾き方向が異なるから、基準指標線１０の前後それぞれの対応する指標線１１や補助指標線１２に沿った姿勢に調整して研磨作業を行うことになる。なお、丸ヤスリを用いた場合も丸ヤスリの長手方向を指標線１１や補助指標線１２に沿わせて研磨する。
【００２４】
以上のように、目立て用補助具１は磁石８，８による吸着固定によりチェーン案内板１７へ適宜な姿勢で取り付けて、目立て角度に沿った方向を表示する指標線１１に研磨具を沿わせて目立ての研磨を行うから、目立て用補助具１の位置調整などが簡易なものとなって、その分作業効率が向上するとともに、目立て指示部２の指標線１１や補助指標線１２の指示に従って作業者が研磨具を所定姿勢に維持しながら研磨を行うだけの簡易な研磨作業で、各切刃１８の目立て角度が所望の一定なものにできる。
【００２５】
次に、本発明に係る目立て用補助具の別の実施態様について説明する。
【００２６】
上記実施態様では、水平方向に沿った目立て角度についてのみ、一定に揃うように研磨作業を行うための目立て用補助具を示したが、切刃１８の高さ方向に対する目立て角度についても一定に揃うようにすることができる研磨作業用の補助具について説明する。
【００２７】
上記実施態様で利用した目立て用補助具１の水平面部４を上下に挟んだ状態でその水平面部４の板面を差し込み固定できる平板部２７を有する第２目立て用補助具２８が、図８〜図１０に示されている。平板部２７は、鉄板などの金属板あるいは樹脂板などで構成されている。
【００２８】
この第２目立て用補助具２８は、平板部２７の両面に、切刃１８の高さ方向での研磨具を沿わせる角度（切刃１８のブレードのリンク本体部２０からの突出方向に沿った前記刃先２４がリンクプレート面に直交する直線に対して傾く角度であって、この実施態様では１０°、２０°、３０°の高さ方向に対する角度がそれぞれ表示されている）を示す直線が指標線２９として上下に平行に複数表示した構成となっている。平板部２７には、目立て用補助具１の水平面部４を上下に挟んだ状態で、その水平面部４を差し込むことのできるスリット部３０を切欠形成している。このスリット３０に沿ってその下側には、横方向に沿った左右一対の保持片３１，３１が平板部２７の両面にそれぞれ設けられている。この保持片３１，３１の上面は、平板部２７を水平面部４に差し込んだ状態において、水平面部４の下面に当接し、平板部２７が水平面部４に対して直立した姿勢を保つことができるようになっている。さらに、保持片３１，３１には、永久磁石３２，３２が接着固定されており、これら永久磁石３２，３２による水平面部４への磁気吸着により、第２目立て用補助具２８が直立姿勢で位置保持されるものとなっている。
【００２９】
チェーンソー１３のチェーン１５の切刃１８のリンク本体部２０から横方へ突出した形態が、その突出する先端側ほどリンク本体部２０に直交する水平面に対して突出する側ほど高位となる方向に傾斜した刃本体部（ブレード）となっている場合、その傾斜角度に合わせて刃先を研磨する必要がある。このような研磨において、人手作業により刃先２４，２５を研磨して切刃１８の目立てを行う場合も、目立て用補助具１を単独使用して前述の目立て作業を行ったときと同様、目立て用補助具１をチェーンソー１３のチェーン案内板１７に磁気吸着により取り付ける。そして、その目立て用補助具１の水平面部４に対して、第２目立て用補助具２８をスリット部３０を介して差し込み、永久磁石３２，３２による磁気吸着で保持片３１，３１を介して平板部２７を水平面部４に対して直立した状態で固定保持する。なお、水平面部４上に表示された指標線１１にスリット部３０が沿う状態に差し込むことで、平板部２７が切刃１８に対する平面視で研磨具の案内部として機能する。
【００３０】
第２目立て用補助具２８も使用して切刃１８の目立てを電動丸砥石２６で行う作業の様子を図１０に示している。この作業において、研磨作業者は、電動丸砥石２６の軸方向が平板部２７の板面に沿う状態（案内される状態）に姿勢を設定した上で、さらに、平板部２７の側面に表示された各指標線２９のうち、切刃１８の高さ方向の角度（図１０（ｂ）においては１０°の場合を例示している）の指標線２９にその電動丸砥石２６の軸方向が一致するように電動丸砥石２６を姿勢設定して研磨することになる。このように人手作業時に目立て用補助具１や、第２目立て補助具２８の指標線１１，２９を参照して、その指標線１１，２９に沿わせる姿勢に研磨具を保持して研磨することで、各切刃１８が所望の刃先角度となるように目立てできることになり、各切刃１８の刃先角度にばらつきが生じないようにできる。
【００３１】
上記実施の態様では、目立て用補助具に水平面部を備えて、その水平面部上に指標線などの指示部を表示したものを示したが、本発明は、変形例として、上記第２目立て補助具のように板体を立てた形態で、その板体が平面視での所望の目立て角度に沿った固定状態に取り付け部に設けられた構成でもよい。
【００３２】
上記各実施の態様では、目立て用補助具の水平面部が平面視矩形状のものを示したが、半円状の分度器のように、半円形状であってもよく、複数種の目立て角度がその表面に表示されるものでもよい。
【００３３】
また、上記各実施の態様では、目立て用補助具の水平面部に表示された指標線として、目立て角度が３０°のもののみを示したが、例えば２０°や２５°などチェーンの切刃の種類に応じて適宜対応する目立て角度の指標線（指示部）を表示する目立て用補助具を供することができる。また、複数種の目立て角度を表示する指標線を一枚の水平面部上に表示色を変えるなどして表示しても良い。
【００３４】
また、上記各実施の態様では、目立て用補助具をチェーン案内板に着脱自在に取り付ける手段として磁石を利用したものを示したが、他の例として、チェーン案内板に対して着脱自在に目立て用補助具を固定保持できる粘着剤を取り付け部に塗布した構成などを採用できる。なお、目立て作業時には、目立て用補助具に砥石などが強く接触したりするものでないので、目立て用補助具は目立て作業の際少なくとも位置ずれが生じない状態でチェーン案内板に着脱自在に固定保持されるもので良い。
【図面の簡単な説明】
【００３５】
【図１】目立て用補助具の斜視図
【図２】図１の目立て用補助具の平面図（ａ）、正面図（ｂ）、側面図（ｃ）
【図３】チェーンソーの一例を示す斜視図
【図４】図３のチェーンソーのチェーンの一例を示す斜視図
【図５】図４のチェーンの切刃を示す正面図（ａ）、平面図（ｂ）
【図６】図１の目立て用補助具を目立て作業するためにチェーンソーのチェーン案内板に取り付けた状態を示す斜視図
【図７】図４の切刃を電動丸砥石で研磨する様子を示す平面図であって、図７の（ａ），（ｂ）それぞれは、切刃の刃先角度が左右方向でそれぞれ異なるものに対する研磨の様子を示している
【図８】第２目立て用補助具を示す正面図（ａ）、側面図（ｂ）
【図９】図１の目立て用補助具に図８の第２目立て用補助具を目立て作業のため装着した状態を示す斜視図
【図１０】図９に示す状態の目立て用補助具、第２目立て補助具を利用して、チェーンの切刃に対して電動丸砥石で目立てする様子を示す平面図（ａ）と正面図（ｂ）
【符号の説明】
【００３６】
２      目立て指示部
３      取り付け部
４      水平面部
１１      指標線
１３      チェーンソー
１５      チェーン
１７      チェーン案内板
１８      切刃
【図１】
2005186172.tif 000003
【図２】
2005186172.tif 000004
【図３】
2005186172.tif 000005
【図４】
2005186172.tif 000006
【図５】
2005186172.tif 000007
【図６】
2005186172.tif 000008
【図７】
2005186172.tif 000009
【図８】
2005186172.tif 000010
【図９】
2005186172.tif 000011
【図１０】
2005186172.tif 000012